【手続補正書】
【提出日】平成17年10月18日(2005.10.18)
【手続補正１】
【補正対象書類名】明細書
【補正対象項目名】特許請求の範囲
【補正方法】変更
【補正の内容】
【特許請求の範囲】
【請求項１】一般式（１）（ 化１）
【化１】
1998310577.tif 000001
［式中、Ａは水素原子またはメチル基であり、Ｂはメチル基またはエチル基であり、Ｈｅｔは以下のＨ１またはＨ２（化２）
【化２】
1998310577.tif 000002
（式中、Ｒ１はトリフルオロメチル基またはジフルオロメチル基であり、Ｒ２はトリフルオロメチル基、ジフルオロメチル基またはメチル基である）で表される複素環式基である（但し、Ａがメチル基でＢがエチル基の場合を除く）］で表される置換カルボン酸アニリド誘導体。
【請求項２】ＨｅｔがＨ１である請求項１記載のカルボン酸アニリド誘導体。
【請求項３】Ａ およびＢ が共にメチル基であり、Ｒ１がトリフルオロメチル基である請求項２記載の置換カルボン酸アニリド誘導体。
【請求項４】ＨｅｔがＨ２である請求項１記載の置換カルボン酸アニリド誘導体。
【請求項５】Ａ およびＢ が共にメチル基であり、Ｒ２がメチル基である請求項４記載の置換カルボン酸アニリド誘導体。
【請求項６】請求項１〜５記載の置換カルボン酸アニリド誘導体を有効成分として含有する植物病害防除剤。
【請求項７】請求項１〜５記載の置換カルボン酸アニリド誘導体を有効成分として含有する農園芸用殺菌剤。
【請求項８】一般式（２）（ 化３）【化３】
1998310577.tif 000003
［式中、Ａは水素原子またはメチル基であり、Ｂ はメチル基またはエチル基であり、Ｘは水素原子またはハロゲン原子である（但し、Ａがメチル基でＢがエチル基の場合を除く）］で表される置換アニリン誘導体。
【請求項９】ＡおよびＢが共にメチル基であり、Ｘが水素原子である請求項８記載の置換アニリン誘導体。
【請求項１０】一般式（３）（化４）
【化４】
1998310577.tif 000004
［式中、Ａは水素原子またはメチル基であり、Ｂはメチル基またはエチル基であり、Ｘは水素原子またはハロゲン原子であり、点線はどちらか一方が二重結合であることを示す（但し、Ａがメチル基でＢがエチル基の場合を除く）］で表される置換アニリン誘導体。
【請求項１１】ＡおよびＢが共にメチル基であり、Ｘが水素原子である請求項１０記載の置換アニリン誘導体。
【請求項１２】一般式（３）
1998310577.tif 000005
[式中、Ａは水素原子またはメチル基であり、Ｂはメチル基またはエチル基であり、Ｘはハロゲン原子であり、点線はどちらか一方が二重結合であることを示す（但し、Ａがメチル基でＢがエチル基の場合を除く）]で表される化合物を、一般式（４）（化５）
【化５】
1998310577.tif 000006
[式中、Ｚはハロゲン原子を示し、Ｈｅｔは以下のＨ１またはＨ２（化６）
【化６】
1998310577.tif 000007
（式中、Ｒ１はトリフルオロメチル基またはジフルオロメチル基であり、Ｒ２はトリフルオロメチル基、ジフルオロメチル基またはメチル基である）で表される複素環式基である］で表される化合物と反応させた後、還元することを目的とする一般式（１）（化７）
【化７】
1998310577.tif 000008
［式中、Ａ、Ｂ、Ｘ、Ｈｅｔは前記と同じ意味を示す］で表される置換カルボン酸アニリド誘導体の製造方法。
【請求項１３】一般式（２）（化８）
【化８】
1998310577.tif 000009
［式中、Ａは水素原子またはメチル基であり、Ｂはメチル基またはエチル基であり、Ｘはハロゲン原子であることを示す（但し、Ａがメチル基でＢがエチル基の場合を除く）］で表される化合物を、一般式（４）（化９）
【化９】
1998310577.tif 000010
［式中、Ｚはハロゲン原子を示し、Ｈｅｔは以下のＨ１またはＨ２（化１０）
【化１０】
1998310577.tif 000011
（式中、Ｒ１はトリフルオロメチル基またはジフルオロメチル基であり、Ｒ２はトリフルオロメチル基、ジフルオロメチル基またはメチル基である）で表される複素環式基である］で表される化合物と反応させた後、還元することを目的とする一般式（１ａ）（化１１）
【化１１】
1998310577.tif 000012
［式中、Ａ、Ｂ、Ｈｅｔは前記と同じ意味を示す］で表される置換カルボン酸アニリド誘導体の製造方法。
【請求項１４】一般式（５）（化１２）
【化１２】
1998310577.tif 000013
［式中、Ａは水素原子またはメチル基であり、Ｂはメチル基またはエチル基であり、Ｘは水素原子またはハロゲン原子であり、点線はどちらか一方が二重結合であることを示し、Ｈｅｔは以下のＨ１またはＨ２（化１３）
【化１３】
1998310577.tif 000014
（式中、Ｒ１はトリフルオロメチル基またはジフルオロメチル基であり、Ｒ２はトリフルオロメチル基、ジフルオロメチル基またはメチル基である）で表される複素環式基である（但し、Ａがメチル基でＢがエチル基の場合を除く）］で表される化合物を還元することを特徴とする一般式（１）（化１４）
【化１４】
1998310577.tif 000015
［式中、Ａ、Ｂ、Ｘ、Ｈｅｔは前記と同じ意味を示す］で表される置換カルボン酸アニリド誘導体の製造方法。
【請求項１５】一般式（１）（化１５）
【化１５】
1998310577.tif 000016
［式中、Ａは水素原子またはメチル基であり、Ｂはメチル基またはエチル基であり、Ｘはハロゲン原子であり、点線はどちらか一方が二重結合であることを示し、Ｈｅｔは以下のＨ１またはＨ２（化１６）
【化１６】
1998310577.tif 000017
（式中、Ｒ１はトリフルオロメチル基またはジフルオロメチル基であり、Ｒ２はトリフルオロメチル基、ジフルオロメチル基またはメチル基である）で表される複素環式基である（但し、Ａがメチル基でＢがエチル基の場合を除く）］で表される化合物を還元することを特徴とする一般式（１ａ）（化１７）
【化１７】
1998310577.tif 000018
［式中、Ａ、Ｂ、Ｈｅｔは前記と同じ意味を示す］で表される置換カルボン酸アニリド誘導体の製造方法。
【請求項１６】一般式（１５）（化１８）
【化１８】
1998310577.tif 000019
［式中、Ｘは水素原子またはハロゲン原子である］で表されるアミノケトン誘導体を、一般式（８）（化１９）
【化１９】
1998310577.tif 000020
［式中、Ｍはマグネシウムハライドまたはリチウム原子である］で表される有機金属化合物類と反応させた後、水酸基を脱水し、更に還元することを特徴とする一般式（２）（化２０）
【化２０】
1998310577.tif 000021
［式中、Ｘは前記と同じ意味を示す］で表される置換アニリン誘導体の製造方法。
【請求項１７】一般式（１５）（化２１）
【化２１】
1998310577.tif 000022
［式中、Ｘは水素原子またはハロゲン原子である］で表されるアミノケトン誘導体を、一般式（８）（化２２）
【化２２】
1998310577.tif 000023
［式中、Ｍはマグネシウムハライドまたはリチウム原子である］で表される有機金属化合物類と反応させた後、水酸基を脱水することを特徴とする一般式（３）（化２３）
【化２３】
1998310577.tif 000024
［式中、Ｘは前記と同じ意味を示し、点線はどちらか一方が二重結合であることを示す］で表される置換アニリンの製造方法。
【請求項１８】一般式（３）（化２４）
【化２４】
1998310577.tif 000025
［式中、Ｘは水素原子またはハロゲン原子であり、点線はどちらか一方が二重結合である］で表される化合物を還元することを特徴とする一般式（２）（化２５）
【化２５】
1998310577.tif 000026
（式中、Ａ、Ｂ、Ｘは前記と同じ意味を示す）で表される置換アニリン誘導体の製造方法。
【請求項１９】一般式（１６）（化２６）
【化２６】
1998310577.tif 000027
［式中、Ｘはハロゲン原子である］で表されるニトロベンゼン誘導体を、一般式（１０）（化２７）
【化２７】
1998310577.tif 000028
［式中、Ａは水素原子またはメチル基であり、Ｂはメチル基またはエチル基であり、Ｍはマグネシウムハライドである（但し、Ａがメチル基でＢがエチル基の場合を除く）］で表される有機金属化合物類と反応させた後、酸化し、更に還元することを特徴とする一般式（２）（化２８）
【化２８】
1998310577.tif 000029
［式中、Ａ、Ｂ、Ｘは前記と同じ意味を示す］で表される置換アニリン誘導体の製造方法。